(57)【要約】      （修正有）【課題】映像を使って、写そうとする被写体人を笑顔へと導き、自動でシャッターが切れるようにして、簡単に微笑ましい写真を撮ることが出来るようにする。【解決手段】笑顔等誘導撮影装置は、被写体人に向けられる映像モニターとカメラとから成り、該映像モニターには、笑い又は驚き等の表情を起こさせるよう一連のストーリーを構成するコマ６ａ〜６ｅを並べ、該コマ６ａ〜６ｅ毎にアドレス７ａ〜７ｅを付設し、前記ストーリーの中から笑い等が起こるであろうシーンに該当するアドレス７ａ、７ｃ、７ｅを特定し、カメラのシャッターとその特定したアドレス７ａ、７ｃ、７ｅとを連係関係に置き、該映像データの特定アドレス７ａ、７ｃ、７ｅにおいてカメラのシャッターを自動的に作動させる。【選択図】図５
2012235219.tif 000002
【特許請求の範囲】
【請求項１】
（１）被写体に向けられたカメラと、同様に被写体に向けられる映像モニターとから成り、
（２）該映像モニターには、
（ａ）笑い又は驚き等の表情を起こさせるよう一連のストーリーを構成するコマを並べ、
（ｂ）該コマ毎にアドレスを付設し、
（ｃ）上記ストーリーの中から笑い等が起こるであろうシーンに該当する部分のコマのアドレスを特定し、
（３）上記 （ａ）〜（ｃ）の条件を備えた映像データを取り込み、上記カメラのシャッターと上記映像データのアドレスとを連係関係に置き、
（４）該映像データの特定アドレスにおいてカメラのシャッターを自動的に作動させることを特徴とする笑顔等誘導撮影装置。
【発明の詳細な説明】
【技術分野】
【０００１】
本発明は、カメラのアクセサリーシューに液晶モニターを取り付けることが出来るようにして、写そうとする被写体人の笑顔を誘導し、その笑顔を的確に撮影することができる液晶モニターに関するものである。
【背景技術】
【０００２】
従来技術では、写そうとする被写体人の表情を写真に捉えるとき、その人物の表情の動きを検出し、自動撮影を行う電子スチルカメラがある（例えば、特許文献1参照）。
本来、写真には、明るい笑顔や微笑ましい表情を写したいものである。
しかし、写真を撮る際、一般的に人間はカメラを向けられると、軽い緊張を覚え表情が硬くなってしまうことが多い。
【０００３】
又、カメラを向けられた状況で笑顔を要求されても笑える筈もなく、自ら笑顔を作ることを不快に感じる人もいる。
ましてや、小さい子供は、大抵の場合あまり落ち着きが無く、素直に言うことを聴いてくれなかったり、恥ずかしがったりと自然な笑顔を引き出すどころか、その注意をカメラに引きつけておくことさえ難しく、笑顔を写真に収めることは大変困難である。
又、前記、笑顔等表情の変化に合わせ撮影を行う手段はあったが、写そうとする被写体人を笑顔にする等、その表情を変化させて魅力を引き出し、且つ同時に撮影を行う手段は無かった。
【０００４】
以上のことをふまえると、上記、撮り手が写そうとする被写体人を笑顔にして微笑ましい写真を撮ることは容易なことではなかった。
【先行技術文献】
【特許文献】
【０００５】
【特許文献１】特開２０１０−４１６４３号公報
【発明の概要】
【発明が解決しようとする課題】
【０００６】
本願は、前途の欠点を解決しようとするもので、写真を撮る際、カメラの上部にあるアクセサリーシューに液晶モニターを取り付けることが出来る様にして、映像モニターに映像を映し出し、その映像を利用して、写そうとする被写体人の緊張を和らげると共に、表情を自然な明るい笑顔へと導き、被写体人が笑顔になると予測するタイミングに合わせてシャッター信号をカメラに送り、自動でシャッターが切れるようにして、誰でも簡単に微笑ましい写真を撮ることが出来るようにするものである。
【課題を解決するための手段】
【０００７】
笑顔等誘導撮影装置は、被写体に向けられたカメラと、同様に被写体に向けられる映像モニターとから成り、
該映像モニターには、
（ａ）  笑い又は驚き等の表情を起こさせるよう一連のストーリーを構成するコマを並べ、（ｂ）  該コマ毎にアドレスを付設し、
（ｃ）  上記ストーリーの中から笑い等が起こるであろうシーンに該当する部分のコマのアドレスを特定し、
上記
（ａ）〜（ｃ）の条件を備えた映像データを取り込み、上記カメラのシャッターと上記映像データのアドレスとを連係関係に置き、該映像データの特定アドレスにおいてカメラのシャッターを自動的に作動させることを特徴とする。
【発明の効果】
【０００８】
上途の様に、本発明の笑顔等誘導撮影装置は、写そうとする被写体人となる人物に向けられるカメラと、映像モニターとから構成されているので、映像モニターに映し出した映像を、写そうとする被写体人となる人物（以下、被写体人とする）に見せることが出来ると共に、その映像を見ている被写体人の表情をカメラで撮影することが出来る。
【０００９】
次に、液晶モニター本体の上部に外部接続端子及び、ケイタイ接続端子を設けているので、映像データを外部から取り込むことが出来る。
又、上記、外部からの取り込みによって映像モニターに映し出す映像は、面白いストーリーや、楽しいストーリー、又は、ドッキリストーリーなどで構成する一連のストーリーを設定するので、被写体人の注意を引き付けると共に、笑い、驚きなどの様々な表情へと導くことが出来る。
【００１０】
そして、上記、一連のストーリーのコマのすべてにアドレスを付設するので、そのコマの中から笑いが起きるであろうシーンのコマを選出し、そのコマのアドレスを特定することが出来る。
【００１１】
その時、上記、特定のアドレスとカメラのシャッターを連係関係に置いたので、その特定のアドレスに合わせてシャッターが自動で作動し、写そうとする被写体人の笑い、驚きなどの様々な表情にタイミングを合わせて写真に収めることが出来る。
【００１２】
その結果、誰でも簡単に被写体人を笑顔へと導き、微笑ましい写真を自動で撮ることが出来るようになる。
【図面の簡単な説明】
【００１３】
【図１】液晶モニターの正面斜視図。
【図２】一眼レフカメラの正面斜視図。
【図３】一眼レフカメラに取り付けを行った正面斜視図。
【図４】本考案の使用状態を示す斜視図。
【図５】本考案の映像のコマの正面図。
【発明を実施するための形態】
【００１４】
以下、添付図面に従って実施の形態を説明する。
液晶モニター本体１は、主に図１に示すように、映像モニター１ａに映し出す映像を、写そうとする被写体人に見せると共に、その映像を見ている被写体人の表情をカメラ１ｅで撮影することが出来るようにする為に、被写体人に向けて設けた映像モニター１ａと、同じく被写体人に向けて設けたカメラ１ｅとから構成される。
【００１５】
次に、映像モニター１ａに映し出す映像データを外部から取り込むことが出来るようにする為に、液晶モニター本体１の上部に外部接続端子１ｂ及び、ケイタイ接続端子１ｃを設けた。
尚、上記、外部から取り込んだ映像データを保存することが出来るようにする為に、液晶モニター本体１の側面に記憶機構１ｄを設けた。
【００１６】
又、主に図２に示すように一眼レフカメラ３の上部にアクセサリーシュー３ａが設置されているカメラ等に、液晶モニター本体１を装着することが出来るようにする為に、液晶モニター本体１底部にシュー接点ピン２を設けた（図１、３参照）。
【００１７】
次に、図４に示すように、被写体人５の注意を映像モニター１ａに映し出す映像に引き付けて、笑い、驚きなどの様々な表情を起こさせることが出来るようにする為に、面白いストーリーや、楽しいストーリー、又は、ドッキリストーリーなどで構成する一連のストーリー映像を設定する。
【００１８】
ここで、上記ストーリー映像の一例を挙げる。
例えば、図５に示すように、子供たちが父親の誕生日に、その父親に対してドッキリを仕掛けるストーリーで構成する映像データ６を設定する。
【００１９】
内容は、安全装置として車のハンドルに装備されているエアーバックを、リビングにあるソファーに仕掛け、そのソファーに父親を座らせる。
何も知らずに、ソファーに座らされた父親は、ビデオカメラに向かって愛想を振りまいていると、突然仕掛けられたエアーバックが開き、父親は真上に飛び上がって床に転がり込んでしまう。
まんまとドッキリに引っ掛かってしまい、真上に飛び上がってしまう父親のさまは実に滑稽なもので、その姿に誰もが大笑いしてしまう内容である。
【００２０】
次に、図５に示すように、上記、ドッキリを仕掛けるストーリー例の映像データ６のコマ６ａ〜６ｅの中から、笑いが起きるであろうシーンのコマを選出し、その選出したコマを特定出来るようにする為に、コマ６ａ〜６ｅのすべてにアドレス７ａ〜７ｅを付設する。
【００２１】
次に、上記ストーリーの中で、被写体人の笑顔を写真に収める為には、そのストーリーのコマ６ａ〜６ｅの中から、どのシーンを選出し特定するのか具体例を挙げる。
【００２２】
まず、ドッキリに引っ掛かるかどうかを楽しみに見ている、被写体人のワクワクした表情にタイミングを合わせる為に、コマ６ａ〜６ｅの中から、父親がソファーに腰掛けていてビデオカメラに向かって愛想を振りまいている場面の、まさにドッキリに引っ掛かる直前のシーンのコマ６ａを選出し、そのコマ６ａに付設したアドレス７ａを特定する。
【００２３】
尚、上記ストーリーの中での最大の笑いに該当するシーンは、父親がドッキリに引っ掛かり、真上に飛び上がってしまうシーンである。
ところが、人間が映像を見て面白いと判断して笑いが起こり笑顔になるまでには、その状況を認識するまで多少の時差が生じる。
【００２４】
そこで、上記、人間が状況を認識する間の時差を埋めて、被写体人が笑い、最高の笑顔になった時にタイミングを合わせられるようにする為に、コマ６ａ〜６ｅの中から父親が飛び上がってから一呼吸置いて、下に落ち出すシーンのコマ６ｃを選出し、そのコマ６ｃに付設したアドレス７ｃを特定する。
【００２５】
又、人の笑いは一瞬で終わるものではなく、しばらく継続するものである。
そこで、被写体人の笑顔の変化にタイミングを合わせると同時に、より確実に被写体人の笑顔にタイミングを合わせることが出来るようにする為に、更に、コマ６ａ〜６ｅの中から、父親が床に落ちて転げ回るシーンのコマ６ｅを選出し、そのコマ６ｅに付設したアドレス７ｅを特定する。
【００２６】
即ち、上記、特定したアドレス７ａ、７ｃ、７ｅにおいてシャッターが自動で作動して、写真を撮影出来るようにする為に、その特定のアドレス７ａ、７ｃ、７ｅとカメラのシャッターを連係関係に置く。
【００２７】
その他、映像の例として、面白いアクション映像、又は、ハプニング映像や、話題の動画、更にはお笑い芸人の一発ギャグ特集などといった様々な映像内容が挙げられる。
又、子供向けの映像としては、人気のキャラクターが子供に話しかけてきたり、そのキャラクターとにらめっこをしたり、又は音楽に合わせて一緒に踊ったり、更には突然ずっこけたりするなど、様々なアクションを起こすような映像などが挙げられる。
【００２８】
次に、本発明の実施の形態の作用効果を説明する。
従来では、人物を写真に写すときには、その人物の魅力あふれる素敵な表情を写真に写したいものである。
従って撮り手は、まず、写そうとする被写体人となる人物の魅力をいかに引き出せるかが鍵となる。
【００２９】
ところが、大抵の場合は、被写体人に対して、笑いを誘うような言葉を掛けてあげることが出来ずに、無機質にカメラを向けた状態で撮影をする為、被写体人の表情をこわばらせてしまうことが多い。
又、被写体人自らが、その無機質に向けられたカメラに対して笑顔を作らなくてはならないことから、写真を撮られることを負担に思う人もいる。
【００３０】
更に、前記、笑顔等表情の変化に合わせ撮影を行う手段はあったが、写そうとする被写体人を笑顔にする等、その表情を変化させて魅力を引き出し、且つ同時に撮影を行う手段は無かった。
【００３１】
即ち、撮り手と被写体人が、双方の思惑を合致させ、信頼関係を築いた上で、お互いがその撮影状況を楽しめない限りは、被写体人の自然な笑顔を引き出し、且つ魅力のある写真を収めることは大変に難しいものであった。
【００３２】
本発明にあっては、主に図１に示すように、液晶モニター本体１が、写そうとする被写体人に向けて設けた映像モニター１ａと、同じく被写体人に向けて設けたカメラ１ｅとから構成されているので、映像モニター１ａに映る映像を被写体人に見せることが出来ると共に、その映像を見ている被写体人の表情をカメラ１ｅで撮影することが出来る。
【００３３】
次に、液晶モニター本体１の上部に外部接続端子１ｂ及び、ケイタイ接続端子１ｃを設けているので、映像データを外部から取り込むことが出来る。
尚、液晶モニター本体１の側面に記憶機構１ｄを設けたので、上記、映像データを保存することが出来る。
又、液晶モニター本体１の底部にシュー接点ピン２を設けたので、一眼レフカメラ３等の上部にアクセサリーシュー４が設置されているカメラに装着が可能になる為、一眼レフカメラ３等を使った本格的な撮影も出来るようになる（図２、３参照）。
【００３４】
次に、主に図４に示すように、液晶モニター本体１を前方に向けて一眼レフカメラ３に設置し、映像データを再生して一眼レフカメラ３を構えるか、又は、三脚４に備え付け、被写体人５に向けて撮影準備に入る。
【００３５】
その時、外部からの取り込みによって映像モニター１ａに映し出す映像データは、面白いストーリーや、楽しいストーリー、又は、ドッキリストーリーなどで構成する一連のストーリーを設定するので、被写体人５の注意を、映像モニター１ａに映る映像に引き付けると共に、笑い、驚きなどの様々な表情を起こさせることが出来る。
【００３６】
次に、図５に示すように、前記、ドッキリを仕掛けるストーリーの映像データ６のコマ６ａ〜６ｅのすべてにアドレス７ａ〜７ｅを付設したので、コマ６ａ〜６ｅの中から笑いが起きると予測するシーンのコマを選出して、そのコマに付設したアドレスを特定出来るようになる。
【００３７】
次に、前記ストーリーのコマから、写そうとする被写体人の最高の笑顔を写真に収める為には、そのコマ６ａ〜６ｅの中から、どのシーンのコマを選出し特定すればいいのか具体例を挙げる。
【００３８】
まず、コマ６ａ〜６ｅの中から、父親がソファーに腰掛けていて、ビデオカメラに向かって愛想を振りまいている場面の、まさにドッキリに引っ掛かる直前のシーンのコマ６ａを選出し、そのコマ６ａに付設したアドレス（１０１５１）７ａ特定するので、ドッキリに引っ掛かるのを楽しみに見ている、被写体人のワクワクした表情にタイミングを合わせることが出来る。
【００３９】
又、前記ストーリーの中で、最大の笑いに該当するシーンは、父親がドッキリに引っ掛かり、真上に飛び上がってしまうシーンである。
ところが、人間が映像を見て面白いと判断して笑いが起き、笑顔になるまでには、その状況を認識するまでの多少の時差が生じる。
【００４０】
そこで、コマ６ａ〜６ｅの中から父親が飛び上がってから一呼吸置いて、下に落ち出すシーンのコマ６ｃを選出し、そのコマ６ｃに付設したアドレス（１０１８１）７ｃ特定するので、上記、人間が状況を認識する間の時差を埋めて、被写体人が笑い、最高の笑顔になった時にタイミングを合わせられるようになる。
【００４１】
尚、人の笑いは一瞬だけではなく、しばらく継続するものである。
そこで、更に、コマ６ａ〜６ｅの中から父親が床に落ちて転げ回るシーンのコマ６ｅを選出し、そのコマ６ｅに付設したアドレス（１０２１１）７ｅ特定するので、被写体人の様々な笑顔の変化にタイミングを合わせると同時に、より確実に被写体人の笑顔にタイミングを合わせることが出来るようになる。
【００４２】
即ち、上記、特定のアドレス７ａ、７ｃ、７ｅとカメラのシャッターを連係関係に置いたので、その特定のアドレス７ａ、７ｃ、７ｅにおいてシャッターが作動し、被写体人が笑い、笑顔になるタイミングに合わせて自動で写真を撮影することが出来るようになる。
【００４３】
その他、映像の例として、子供に人気のキャラクターが喋りかけてきたり、踊り出したりするなどの、楽しい映像を設定すれば、子供を飽きさせることなく映像に注意を引き付けられるので、カメラで撮影していることを忘れさせると共に、その楽しさから自然と笑顔になり、思わず一緒に踊り出したくなるような効果を奏する。
又、犬やネコなど動物の可愛らしい動作や行動を写した映像を使用すれば、その可愛らしさに心が癒され、被写体を、とても優しい表情にさせる効果を奏する。
【００４４】
本発明は、上途の如き構成からなるものであるから、主に図４に示すように、液晶モニター本体１を一眼レフカメラ３の上部に設置して、映像モニターに一連のストーリーから成る映像データ６を再生させ、そのストーリーを被写体人５に見せることで、従来のように、撮り手が被写体人５を笑顔にするためのアクションをすることなく、自然な笑顔へ導くことが出来る（図５参照）。
【００４５】
更に、被写体人５が笑顔になると予測するシーンに合わせて、シャッターを作動させ、その笑顔を的確に捉えて、撮影することが出来る。
この時、撮り手は、液晶モニター本体１を取り付けた一眼レフカメラ３等を被写体人５に向けているだけで、自然で魅力的な被写体人５の表情を、自動的に次々と写真に収めることが出来るものである。
【符号の説明】
【００４６】
１    液晶モニター本体
１ａ  映像モニター    
１ｂ  外部接続端子
１ｃ  ケイタイ接続端子
１ｄ  記憶機構
１ｅ  カメラ
２    シュー接点ピン
３    一眼レフカメラ
３ａ  アクセサリーシュー
４    三脚
５    被写体人
６    映像データ
６ａ〜６ｅ  コマ
７ａ〜７ｅ  アドレス
【図１】
2012235219.tif 000003
【図２】
2012235219.tif 000004
【図３】
2012235219.tif 000005
【図４】
2012235219.tif 000006
【図５】
2012235219.tif 000007